(57)【特許請求の範囲】
【請求項１】
（ａ）カード用コネクタに外部部材の封止部を通して挿入可能、かつ、端子部材を備えるカードを保持可能なカード保持部材であって、
（ｂ）前記カードの側面と対向するカード保持枠部と、該カード保持枠部に一体的に接続された連結基部と、該連結基部に前記カード保持部材の挿入及び排出方向にスライド可能に取付けられた可動連結部とを備え、
（ｃ）前記連結基部は、前記封止部が含む第１シール部と係合可能であって前記連結基部の外周面に形成された第１被シール部を含み、
（ｄ）前記可動連結部は、前記封止部が含む押圧力付与部と係合可能な受圧部を含み、
（ｅ）前記可動連結部は、前記受圧部が前記押圧力付与部と係合すると前記挿入方向へ付勢され、前記外部部材に対して位置決めされることを特徴とするカード保持部材。
【請求項２】
前記可動連結部は、前記封止部が含む第２シール部と係合可能であって前記可動連結部の外周面に形成された第２被シール部を含む請求項１に記載のカード保持部材。
【請求項３】
前記可動連結部は、排出補助部材が係止可能な排出補助部材係止部を含み、前記排出補助部材から前記排出方向への力を受けることにより、前記排出方向へスライドする請求項１又は２に記載のカード保持部材。
【請求項４】
前記可動連結部は係止突起を含み、前記連結基部は前記係止突起が係止可能な被係止突起を含み、前記連結基部は、前記被係止突起に前記係止突起が係止すると、前記可動連結部とともに前記排出方向へスライドする請求項３に記載のカード保持部材。
【請求項５】
前記可動連結部は前記連結基部が挿入される筒部を含み、該筒部は前記封止部の挿入通路内に挿入され、該挿入通路の内周面と前記連結基部及び可動連結部の外周面との間が封止される請求項１〜４のいずれか１項に記載のカード保持部材。
【請求項６】
前記可動連結部が前記外部部材に対して位置決めされると、前記可動連結部の後面が前記外部部材の外面と面一になる請求項１〜５のいずれか１項に記載のカード保持部材。
【請求項７】
請求項１〜６のいずれか１項に記載のカード保持部材と、
該カード保持部材を挿入可能なカード用コネクタと、該カード用コネクタが固定された外部部材とを備えるカード用コネクタセット。
【発明の詳細な説明】
【技術分野】
【０００１】
本発明は、カード保持部材及びカード用コネクタセットに関するものである。
【背景技術】
【０００２】
従来、携帯電話機、スマートフォン等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。そして、このような電子機器を雨水や粉塵（じん）に曝（さら）される環境下でも使用可能とするように、密封性を備えるカード用コネクタが提案されている（例えば、特許文献１参照。）。
【０００３】
図１４は従来のカード用コネクタを示す図である。
【０００４】
図において、８１１は、絶縁性の樹脂材料から成るカード用コネクタのハウジングである。そして、該ハウジング８１１は、電子機器の筐（きょう）体の側壁部８９８に固定された状態で該側壁部８９８の内側に収容されている。また、前記ハウジング８１１は、複数の端子８５１を備え、カードを収容したカードホルダ９６１が前記カード用コネクタに挿入されると、前記カードが備える接続パッドのそれぞれが対応する端子８５１と接触する。
【０００５】
また、前記側壁部８９８における前記カード用コネクタの挿入開口に対応する箇所には、開口部８９８ａが形成されている。そして、前記カードホルダ９６１は、前記開口部８９８ａを通って前記カード用コネクタ内に挿入される。
【０００６】
前記カードホルダ９６１のカード用コネクタへの挿入が完了すると、図に示されるように、前記カードホルダ９６１の後枠部９６１ａの後端面９６１ｂは、前記側壁部８９８の外表面８９８ｂとほぼ面一となる。また、前記カードホルダ９６１の後枠部９６１ａの外周には、パッキン９７１が取付けられており、該パッキン９７１が前記開口部８９８ａの内周面と前記後枠部９６１ａの外周面との隙（すき）間を塞（ふさ）いで密封するので、水、塵埃（じんあい）等の異物がカード用コネクタ内に進入することが防止される。
【先行技術文献】
【特許文献】
【０００７】
【特許文献１】特開平０８−３３５２５５号公報
【発明の概要】
【発明が解決しようとする課題】
【０００８】
しかしながら、前記従来のカード用コネクタにおいては、ハウジング８１１やカードホルダ９６１の各部の寸法誤差、電子機器の筐体へのハウジング８１１の取付誤差等の各種の誤差の存在により、カードホルダ９６１のカード用コネクタへの挿入が完了したときに、カードホルダ９６１の後枠部９６１ａの後端面９６１ｂが、筐体の側壁部８９８の外表面８９８ｂと面一とならず、該外表面８９８ｂよりも後方に飛出た状態となってしまうことがある。この場合、美観が損なわれるだけでなく、カードホルダ９６１の後枠部９６１ａと側壁部８９８の開口部８９８ａとの間の隙間が拡大するので、密封性が低下するおそれがある。
【０００９】
本発明は、前記従来の問題点を解決して、カード保持部材の可動連結部を挿入方向に付勢し、外部部材と可動連結部との位置決めをすることができ、密封性が高く、信頼性の高いカード保持部材及びカード用コネクタセットを提供することを目的とする。
【課題を解決するための手段】
【００１０】
そのために、本発明のカード保持部材においては、カード用コネクタに外部部材の封止部を通して挿入可能、かつ、端子部材を備えるカードを保持可能なカード保持部材であって、前記カードの側面と対向するカード保持枠部と、該カード保持枠部に一体的に接続された連結基部と、該連結基部に前記カード保持部材の挿入及び排出方向にスライド可能に取付けられた可動連結部とを備え、前記連結基部は、前記封止部が含む第１シール部と係合可能であって前記連結基部の外周面に形成された第１被シール部を含み、前記可動連結部は、前記封止部が含む押圧力付与部と係合可能な受圧部を含み、前記可動連結部は、前記受圧部が前記押圧力付与部と係合すると前記挿入方向へ付勢され、前記外部部材に対して位置決めされる。
【００１１】
本発明の他のカード保持部材においては、さらに、前記可動連結部は、前記封止部が含む第２シール部と係合可能であって前記可動連結部の外周面に形成された第２被シール部を含む。
【００１２】
本発明の更に他のカード保持部材においては、さらに、前記可動連結部は、排出補助部材が係止可能な排出補助部材係止部を含み、前記排出補助部材から前記排出方向への力を受けることにより、前記排出方向へスライドする。
【００１３】
本発明の更に他のカード保持部材においては、さらに、前記可動連結部は係止突起を含み、前記連結基部は前記係止突起が係止可能な被係止突起を含み、前記連結基部は、前記被係止突起に前記係止突起が係止すると、前記可動連結部とともに前記排出方向へスライドする。
【００１４】
本発明の更に他のカード保持部材においては、さらに、前記可動連結部は前記連結基部が挿入される筒部を含み、該筒部は前記封止部の挿入通路内に挿入され、該挿入通路の内周面と前記連結基部及び可動連結部の外周面との間が封止される。
【００１５】
本発明の更に他のカード保持部材においては、さらに、前記可動連結部が前記外部部材に対して位置決めされると、前記可動連結部の後面が前記外部部材の外面と面一になる。
【００１６】
本発明のカード用コネクタセットにおいては、本発明のカード保持部材と、該カード保持部材を挿入可能なカード用コネクタと、該カード用コネクタが固定された外部部材とを備える。
【発明の効果】
【００１７】
本発明によれば、カード保持部材の可動連結部を挿入方向に付勢し、外部部材と可動連結部との位置決めをすることができるので、高い密封性、及び、高い信頼性を得ることができる。
【図面の簡単な説明】
【００１８】
【図１】本発明の実施の形態におけるカード用コネクタにカード用トレイを挿入した状態のカード用コネクタセットを示す斜視図である。
【図２】本発明の実施の形態におけるカード用コネクタセットの分解図である。
【図３】本発明の実施の形態におけるカード用コネクタの斜視図であって、（ａ）はシェルを取付けた状態を示す図、（ｂ）はシェルを取外した状態を示す図である。
【図４】本発明の実施の形態におけるカード用コネクタからシェルを取外した状態のカード用コネクタセットを示す斜視図である。
【図５】本発明の実施の形態におけるカード用コネクタからシェルを取外した状態のカード用コネクタセットの断面図であって、（ａ）は図４におけるＡ−Ａ矢視断面図、（ｂ）は図４におけるＢ−Ｂ矢視断面図である。
【図６】本発明の実施の形態におけるカード用コネクタセットの要部拡大断面図であって、（ａ）は図５（ａ）におけるＣ部拡大図、（ｂ）は図５（ｂ）におけるＤ部拡大図である。
【図７】本発明の実施の形態におけるカード用コネクタからカード用トレイを引出す動作の第１工程を示す斜視図であって図４に対応する斜視図である。
【図８】本発明の実施の形態におけるカード用コネクタからカード用トレイを引出す動作の第１工程を示す断面図であって図５に対応する断面図であり、（ａ）は図５（ａ）に対応する断面図、（ｂ）は図５（ｂ）に対応する断面図である。
【図９】本発明の実施の形態におけるカード用コネクタからカード用トレイを引出す動作の第２工程を示す斜視図であって図４に対応する斜視図である。
【図１０】本発明の実施の形態におけるカード用コネクタからカード用トレイを引出す動作の第２工程を示す断面図であって図５に対応する断面図であり、（ａ）は図５（ａ）に対応する断面図、（ｂ）は図５（ｂ）に対応する断面図である。
【図１１】本発明の実施の形態におけるカード用コネクタからカード用トレイを引出す動作の第３工程を示す斜視図であって図４に対応する斜視図である。
【図１２】本発明の実施の形態におけるカード用コネクタからカード用トレイを引出す動作の第３工程を示す断面図であって図５に対応する断面図であり、（ａ）は図５（ａ）に対応する断面図、（ｂ）は図５（ｂ）に対応する断面図である。
【図１３】本発明の実施の形態におけるカード用コネクタからカード用トレイを引出す動作の第４工程を示す斜視図であって図４に対応する斜視図である。
【図１４】従来のカード用コネクタを示す図である。
【発明を実施するための形態】
【００１９】
以下、本発明の実施の形態について図面を参照しながら詳細に説明する。
【００２０】
図１は本発明の実施の形態におけるカード用コネクタにカード用トレイを挿入した状態のカード用コネクタセットを示す斜視図、図２は本発明の実施の形態におけるカード用コネクタセットの分解図、図３は本発明の実施の形態におけるカード用コネクタの斜視図、図４は本発明の実施の形態におけるカード用コネクタからシェルを取外した状態のカード用コネクタセットを示す斜視図、図５は本発明の実施の形態におけるカード用コネクタからシェルを取外した状態のカード用コネクタセットの断面図、図６は本発明の実施の形態におけるカード用コネクタセットの要部拡大断面図である。なお、図３において、（ａ）はシェルを取付けた状態を示す図、（ｂ）はシェルを取外した状態を示す図であり、図５において、（ａ）は図４におけるＡ−Ａ矢視断面図、（ｂ）は図４におけるＢ−Ｂ矢視断面図であり、図６において、（ａ）は図５（ａ）におけるＣ部拡大図、（ｂ）は図５（ｂ）におけるＤ部拡大図である。
【００２１】
図において、１６０は本実施の形態におけるカード保持部材としてのカード用トレイであり、図示されないカードを収容して保持した状態で、図示されない電子機器が備える外部部材９０に固定されたカード用コネクタ１に挿入される。つまり、カードは、その側面と対向するカード保持枠部としての枠部１６１によって前記側面を囲繞（にょう）された状態でカード用トレイ１６０に収容され、カード用コネクタ１を介して、電子機器に装着される。なお、該電子機器は、例えば、パーソナルコンピュータ、スマートフォン、携帯電話機、通信モデム、タブレットコンピュータ、デジタルカメラ、ビデオカメラ、音楽プレーヤ、ゲーム機、車両用ナビゲーション装置等であるが、いかなる種類の機器であってもよい。
【００２２】
ところで、例えば、電子機器にカード用コネクタ１以外のカード用コネクタが実装されているような場合には、ユーザがカード用コネクタ１を使用しないこともあり得る。そして、このような場合に、ユーザは、カードを収容していないカード用トレイ１６０、すなわち、空のカード用トレイ１６０をカード用コネクタ１に挿入した状態で保管することができる。
【００２３】
前記カードは、例えば、ＳＩＭ（Ｓｕｂｓｃｒｉｂｅｒ  Ｉｄｅｎｔｉｔｙ  Ｍｏｄｕｌｅ）カード、マイクロＳＩＭ（ｍｉｃｒｏＳＩＭ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、マイクロＳＤ（Ｒ）カード又はナノＳＩＭ（ｎａｎｏＳＩＭ）カードを選択的に使用することができるものとして説明する。ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。また、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２４】
本実施の形態におけるカード用トレイ１６０の枠部１６１において、カード収容空間としての空間部１６５は、前側に位置する第１空間部１６５ａと後側に位置する第２空間部１６５ｂとに分割されている。そして、第１空間部１６５ａ及び第２空間部１６５ｂの各々にカードを収容することができる。前記第１空間部１６５ａ及び第２空間部１６５ｂの下面は、カードの電極パッドが露出可能な略矩（く）形の開口である。なお、第１空間部１６５ａ及び第２空間部１６５ｂには、同一種類のカード、例えば、ナノＳＩＭカードを１枚ずつ収容することもできるし、互いに異なる種類のカード、例えば、ナノＳＩＭカードとマイクロＳＤ（Ｒ）カードとをそれぞれ収容することもできる。また、第１空間部１６５ａ又は第２空間部１６５ｂのいずれか一方にのみカードを収容し、他方にはカードを収容しなくてもよい。
【００２５】
前記枠部１６１は、金属から成る板材に打抜き、折曲げ等の加工を施して一体的に形成された金属部１５１と、該金属部１５１の周囲の少なくとも一部を被覆して一体化するように、インサート成形乃至オーバーモールド成形と称される成形方法によって成形された絶縁性の樹脂から成る樹脂部１６１ａとを含む部材である。なお、図２においては、金属部１５１と樹脂部１６１ａとが別個の部材であって、互いに組合されるかのように描画されているが、かかる描画は便宜的なものであって、必ずしも正確でない。本実施の形態においては、あくまでも、上述のように、インサート成形乃至オーバーモールド成形と称される成形方法によって、金属部１５１の周囲の少なくとも一部を被覆して一体化するように樹脂部１６１ａが成形され、枠部１６１となる。
【００２６】
前記金属部１５１は、枠部１６１の第１空間部１６５ａ及び第２空間部１６５ｂに対応するように第１空間部１５５ａと第２空間部１５５ｂとに分割された空間部１５５を含むとともに、該空間部１５５の四辺を囲繞するように形成された略矩形の枠部材である。そして、前記金属部１５１は、幅方向に延在する互いに平行な前枠部１５２ａ、中間枠部１５２ｂ及び後枠部１５２ｃと、前後方向に延在し、前枠部１５２ａ、中間枠部１５２ｂ及び後枠部１５２ｃの両端を連結する側枠部１５４とを含んでいる。
【００２７】
また、前記枠部１６１は、金属部１５１の前枠部１５２ａ、中間枠部１５２ｂ、後枠部１５２ｃ及び側枠部１５４に対応し、前記前枠部１５２ａ、中間枠部１５２ｂ、後枠部１５２ｃ及び側枠部１５４のそれぞれの周囲の少なくとも一部を樹脂で被覆して一体化するように成形された前枠部１６２ａ、中間枠部１６２ｂ、後枠部１６２ｃ及び側枠部１６４を含んでいる。なお、該側枠部１６４の内側面には、第１空間部１６５ａ及び第２空間部１６５ｂに収容されたカードの下面を支持するための庇（ひさし）部１６４ａが、任意の箇所に任意の数だけ形成されている。また、前記側枠部１６４の外側面には、カード用コネクタ１内に挿入されたカード用トレイ１６０が保持されて固定されるための保持用凹部１６４ｂが形成されている。
【００２８】
さらに、前記カード用トレイ１６０は、前記後枠部１６２ｃに一体的に接続され、後方に延出する連結基部１６３と、該連結基部１６３に対してスライド可能に取付けられた可動連結部１６６と、該可動連結部１６６の後端板１６６ｂの後端に固定された化粧板としてのフランジ板１６９とを含んでいる。該フランジ板１６９は、後方から視て、前記可動連結部１６６の後端板１６６ｂよりも面積が大きく、その外周縁は前記後端板１６６ｂの外周縁よりも外方に突出し、その後面１６９ｂは可動連結部１６６の後面として機能する。なお、前記フランジ板１６９は、適宜省略することができる。また、前記可動連結部１６６が連結基部１６３に対してスライド可能な距離は、約１．０〔ｍｍ〕であるが、かかる距離は適宜変更することができる。
【００２９】
前記連結基部１６３は、枠部１６１と一体的に成形され、カード用トレイ１６０の幅方向に延在する略矩形の板状部材であるが、左右両側端には後方に延出するカンチレバー状の連結片１６３ａが形成されている。該連結片１６３ａは、基端が連結基部１６３の本体に接続され、少なくとも自由端（後端）近傍が連結基部１６３の本体から分離された細長い棒状乃至舌状の部材であり、カード用トレイ１６０の幅方向に弾性的に変形可能である。そして、前記連結片１６３ａの自由端には、カード用トレイ１６０の幅方向外側に突出する被係止突起１６３ｅが形成されている。該被係止突起１６３ｅは、前記可動連結部１６６が備える係止突起１６６ｄにより係止される。
【００３０】
また、前記連結基部１６３は、カード用トレイ１６０の幅方向中央部に形成された凹入部１６３ｂを含んでいる。該凹入部１６３ｂは、連結基部１６３の後端面から前方に凹入するように形成された凹部であり、前記可動連結部１６６が備える前方凸部１６８を収容する。
【００３１】
さらに、前記連結基部１６３は、前記後枠部１５２ｃとの接続部分近傍に形成されたフランジ部１６３ｃを含んでいる。該フランジ部１６３ｃは、連結基部１６３の本体の周囲全体を囲繞するように連続的に形成され、後方から視て、その外周縁は、連結基部１６３の本体の外周縁よりも外方に突出している。また、前記フランジ部１６３ｃの外周面には、凹溝である第１被シール部としてのシール収容第１溝１６３ｄが形成されている。該シール収容第１溝１６３ｄは、前記フランジ部１６３ｃの外周面から内側に凹入するように形成された溝であり、前記フランジ部１６３ｃの外周面全周に亘（わた）って連続的に形成されている。そして、シール収容第１溝１６３ｄには、外部部材９０の封止部としてのトレイ封止部９１が備える第１シール部としてのシール第１凸部９３ａが進入して係合する。
【００３２】
前記可動連結部１６６は、絶縁性の樹脂から一体的に成形された扁（へん）平な筒状の部材であり、筒の側壁に対応する筒部１６６ａと、筒の後端を閉止する後端板１６６ｂとを含んでいる。なお、筒の前端は開放されており、該前端から、前記連結基部１６３は、前記筒部１６６ａ内に挿入された状態で、可動連結部１６６とスライド可能に連結される。そして、前記筒部１６６ａの前端における左右両側内面には、カード用トレイ１６０の幅方向内側に突出する係止突起１６６ｄが形成されている。該係止突起１６６ｄは、連結基部１６３が備える被係止突起１６３ｅを係止する。
【００３３】
また、前記筒部１６６ａの前端における外周面には、凹溝である第２被シール部としてのシール収容第２溝１６６ｃが形成されている。該シール収容第２溝１６６ｃは、前記筒部１６６ａの外周面から内側に凹入するように形成された溝であり、前記筒部１６６ａの外周面全周に亘って連続的に形成されている。そして、シール収容第２溝１６６ｃには、外部部材９０の封止部としてのトレイ封止部９１が備える第２シール部としてのシール第２凸部９３ｂが進入して係合する。
【００３４】
さらに、前記可動連結部１６６は、前記後端板１６６ｂにおけるカード用トレイ１６０の幅方向中央部から前方に突出する前方凸部１６８を含んでいる。該前方凸部１６８の上端及び下端は、筒部１６６ａの上側内面及び下側内面に一体的に接続されている。そして、前記前方凸部１６８の内部には、排出補助部材としての操作補助部材１８１の先端部が挿入されて係止する排出補助部材係止部としての内部空洞１６７が形成されている。該内部空洞１６７は、後端板１６６ｂの後端面に後端が開放し、該後端から前方に延出する第１空洞１６７ａと、該第１空洞１６７ａの前端に連通して上下方向に延在し、両端が筒部１６６ａの上側外面及び下側外面に開放する第２空洞１６７ｂとを含んでいる。前記第１空洞１６７ａは、後方から操作補助部材１８１の先端部を挿入する部分であるが、その断面形状は、幅方向の寸法に対して上下方向の寸法が短くなっている。したがって、図に示されるように、操作補助部材１８１の姿勢が、本体部１８１ａの先端に形成された鉤（かぎ）部１８１ｂの先端が横向きとなる姿勢に制御されたときに、第１空洞１６７ａに操作補助部材１８１の先端部を挿入することができる。そして、鉤部１８１ｂが第２空洞１６７ｂに到達すると、操作補助部材１８１の姿勢を、第１空洞１６７ａの軸に関して９０度回転させることにより、前記鉤部１８１ｂを第２空洞１６７ｂの後端面に係止させることができる。
【００３５】
さらに、前記第２空洞１６７ｂの前端面は前方凸部１６８の受圧部１６８ａとして機能し、前記トレイ封止部９１が備える押圧力付与部９４と係合し、該押圧力付与部９４から前方への押圧力が付与される。具体的には、前記受圧部１６８ａの上下両端は、前記押圧力付与部９４の前方傾斜面９４ａに当接して押圧する。すると、弾力性を備える押圧力付与部９４からの反力が前方傾斜面９４ａから、受圧部１６８ａの上下両端に付与され、該上下両端は、前方傾斜面９４ａに沿って変位させられるような付勢力を受けるので、前方へ付勢される。
【００３６】
前記フランジ板１６９は、樹脂、金属等から成る平板な板状の部材であり、可動連結部１６６の後端板１６６ｂの後面に、例えば、接着剤等の手段によって、取付けられる。そして、前記フランジ板１６９には、後端板１６６ｂの後端面に後端が開放する第１空洞１６７ａと連通するように、操作補助部材１８１を挿入可能な貫通孔（こう）１６９ａが形成される。該貫通孔１６９ａの断面形状は、前記第１空洞１６７ａの断面形状と同様であり、操作補助部材１８１の姿勢が、本体部１８１ａの先端に形成された鉤部１８１ｂの先端が横向きとなる姿勢に制御されたときに、貫通孔１６９ａに操作補助部材１８１の先端部を挿入することができる。なお、前記フランジ板１６９の外形形状及び外形寸法は、外部部材９０の挿入開口枠部材９８に形成された挿入開口９８ａの形状及び寸法と同様であり、前記フランジ板１６９は挿入開口９８ａに嵌（かん）入可能となっている。
【００３７】
前記挿入開口枠部材９８は、カード用コネクタ１が取付けられた電子機器の筐体の一部であり、カード用コネクタ１から独立した別個の部材であるが、図示されない位置固定部材を介して、前記カード用コネクタ１との相対的位置関係が変化しないように固定されている。前記位置固定部材は、例えば、カード用コネクタ１が実装されている配線基板、カード用トレイ１６０が取付けられた電子機器の筐体等であり、前記挿入開口枠部材９８は、このような位置固定部材に直接又は間接に取付けられることによって、カード用コネクタ１との相対的位置関係が変化しないように固定されている。ここでは、前記挿入開口枠部材９８が、前記位置固定部材の一部、かつ、電子機器の筐体の一部であるものとして説明する。また、前記挿入開口枠部材９８の外面９８ｂは、外部部材９０の外面及び電子機器の筐体の外面として機能する。
【００３８】
そして、前記挿入開口枠部材９８は、板厚方向に貫通するように形成された挿入開口９８ａを備える。該挿入開口９８ａは、カード用トレイ１６０を挿入可能な形状及び寸法を備え、前記カード用トレイ１６０のフランジ板１６９が嵌入可能となっている。
【００３９】
また、前記外部部材９０においては、挿入開口枠部材９８の内側面、すなわち、前面にはトレイ封止部９１が、取付部材９７によって取付けられる。前記トレイ封止部９１は、ゴム等の弾力性のある樹脂から一体的に成形された扁平な筒状の部材であり、筒の側壁に対応する筒部９１ａと、筒の後端に接続された筒の外方に延出するフランジ部９１ｂとを含んでいる。筒の内側は、前後方向に延在する扁平な柱乃至筒状の挿入通路９２であり、該挿入通路９２を通してカード用トレイ１６０がカード用コネクタ１に挿入される。そして、前記挿入通路９２の両端は開放されている。また、前記フランジ部９１ｂは、略矩形の外形形状を備える板状の部材である。
【００４０】
そして、前記筒部９１ａの前端における内周面、すなわち、挿入通路９２の内周面には、該内周面から突出するように形成された凸条であって、前記内周面の全周に亘って連続的に形成された凸条部であるシール凸部９３が形成されている。該シール凸部９３は、単数であってもよいが、望ましくは、複数の凸条部を含むものであり、図に示される例において、２条の凸条部、すなわち、シール第１凸部９３ａ及びシール第２凸部９３ｂを含んでいるが、３条以上の凸条部を含むものであってもよい。前記シール第１凸部９３ａは、連結基部１６３に形成されたシール収容第１溝１６３ｄに進入して係合する。これにより、挿入通路９２の内周面と連結基部１６３の外周面との間が封止される。また、前記シール第２凸部９３ｂは、可動連結部１６６に形成されたシール収容第２溝１６６ｃに進入して係合する。これにより、挿入通路９２の内周面と可動連結部１６６の外周面との間が封止される。
【００４１】
さらに、前記挿入通路９２の内周面における幅方向中央部の上側内面及び下側内面には、該上側内面及び下側内面から突出するように形成された凸部としての押圧力付与部９４が形成されている。該押圧力付与部９４は、前方に形成された前方傾斜面９４ａを備え、該前方傾斜面９４ａが可動連結部１６６の前方凸部１６８における受圧部１６８ａの上下両端に当接することにより、前記可動連結部１６６を前方に付勢する。
【００４２】
前記取付部材９７は、金属又は樹脂から成る扁平な筒状の部材であり、筒の側壁に対応する筒部９７ａと、筒の後端に接続された筒の外方に延出する固定フランジ部９７ｃとを含んでいる。なお、筒の両端は開放されているが、前端には筒の内方に向けて延出する停止フランジ部９７ｂが形成されている。前記トレイ封止部９１の筒部９１ａは、後端から筒部９７ａ内に挿入された状態で該筒部９７ａに保持される。前記停止フランジ部９７ｂは、その内側端の形状が筒部９７ａの形状と同様であるが、前記内側端の寸法がトレイ封止部９１の筒部９１ａの外周の寸法より小さく、かつ、筒部９１ａの内周の寸法より大きいので、カード用トレイ１６０の通過を許容しつつ、トレイ封止部９１の筒部９１ａの前方への変位を阻止する。
【００４３】
また、前記固定フランジ部９７ｃは、略矩形の外形形状を備える板状の部材であり、図に示される例において、上下方向（図５（ａ）における上下方向）の寸法は前記トレイ封止部９１のフランジ部９１ｂと同様であるが、幅方向（図５（ｂ）における上下方向）の寸法は前記トレイ封止部９１のフランジ部９１ｂよりも大きくなっている。そして、前記固定フランジ部９７ｃが、前方から前記トレイ封止部９１のフランジ部９１ｂを挿入開口枠部材９８の前面に押圧しつつ、該挿入開口枠部材９８の前面に、例えば、接着剤、ねじ等の手段によって、固定されることにより、前記トレイ封止部９１は、挿入開口枠部材９８に取付けられる。
【００４４】
本実施の形態において、カード用コネクタ１は、樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、概略矩形の天板部６２と、該天板部６２の側縁から立設する側板部６３とを備え、ハウジング１１及びカード用コネクタ１に挿入されたカード用トレイ１６０の少なくとも一部の上方を覆うようになっている。前記側板部６３には、複数の掛止開口６３ａが形成され、シェル６１をハウジング１１の上側に取付けると、該ハウジング１１の側壁部１１ｅの外側面に形成された掛止突起１３に前記掛止開口６３ａが掛止され、これにより、シェル６１がハウジング１１に固定される。そして、前記カード用コネクタ１は、概略、扁平な直方体形状を備え、前記電子機器に取付けられ、後方（図３（ａ）における右下方）の挿入口１８から、ハウジング１１にカード用トレイ１６０が挿入される。具体的には、ハウジング１１とシェル６１との間に形成されるカード挿入空間内にカード用トレイ１６０が、その前端から挿入される。
【００４５】
また、前記ハウジング１１は、金属から成る板材に打抜き、折曲げ等の加工を施して一体的に形成された端子としての複数の第１端子５１−１、第２端子５１−２及び第３端子５１−３、並びに、下側シェル１２を含み、前記第１端子５１−１、第２端子５１−２、第３端子５１−３及び下側シェル１２の周囲の少なくとも一部を被覆して一体化するように、インサート成形乃至オーバーモールド成形と称される成形方法によって成形された絶縁性の樹脂から成る樹脂部材を含む概略平板状の部材である。なお、前記下側シェル１２は、ハウジング１１を補強するフレーム部材であって、望ましくは、第１端子５１−１、第２端子５１−２及び／又は第３端子５１−３と同じ部材から形成されるが、前記第１端子５１−１、第２端子５１−２及び第３端子５１−３からは分離されて電気的に絶縁されている。
【００４６】
前記ハウジング１１は、概略矩形の平板状の端子保持部としての底壁部１１ｂと、ハウジング１１におけるカード用トレイ１６０の挿入方向（前後方向）前方の前端部１１ｆに沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記奥壁部１１ａ及び側壁部１１ｅは、その下面が底壁部１１ｂの下面と面一であり、その上面が底壁部１１ｂの上面よりも上方に位置する。なお、ハウジング１１におけるカード用トレイ１６０の挿入方向後方の端部は、後端部１１ｒと称する。
【００４７】
ここで、前記底壁部１１ｂは、第１端子５１−１、第２端子５１−２及び第３端子５１−３の露出部を収容して保持する第１端子保持凹部１１ｃ１、第２端子保持凹部１１ｃ２及び第３端子保持凹部１１ｃ３を備える。前記第１端子保持凹部１１ｃ１、第２端子保持凹部１１ｃ２及び第３端子保持凹部１１ｃ３は、底壁部１１ｂを板厚方向に貫通する開口である。
【００４８】
そして、第１端子５１−１及び第３端子５１−３は、ハウジング１１の前後方向に延在する列を成すように、並んで配設されている。図に示される例では、３つずつ、２列に並ぶように配設されている。前記第１端子５１−１及び第３端子５１−３の各々は、少なくとも一部が底壁部１１ｂに埋込まれ、また、少なくとも接触部５１ｃ１及び５１ｃ３が第１端子保持凹部１１ｃ１及び第３端子保持凹部１１ｃ３内に露出し、はんだ付部としてのソルダーテール部５１ｄ１及び５１ｄ３が底壁部１１ｂの下面に露出する。前記接触部５１ｃ１及び５１ｃ３は、第１端子５１−１及び第３端子５１−３の腕部が備えるばね性によって上方に向けて付勢され、カード用コネクタ１内に保持されたカード用トレイ１６０の枠部１６１の第１空間部１６５ａ及び第２空間部１６５ｂに収容されたナノＳＩＭカードの下面に露出する端子部材としての電極パッドの各々に接触する。また、前記ソルダーテール部５１ｄ１及び５１ｄ３は、図示されない基板に形成された信号線、コンタクトパッド、端子等に、はんだ付等によって電気的に接続される。
【００４９】
また、第２端子５１−２は、ハウジング１１の幅方向に延在する１本の列を成すように、並んで配設されている。前記第２端子５１−２は、少なくとも一部が底壁部１１ｂに埋込まれ、また、少なくとも接触部５１ｃ２が第２端子保持凹部１１ｃ２内に露出し、はんだ付部としてのソルダーテール部５１ｄ２が底壁部１１ｂの下面に露出する。前記接触部５１ｃ２は、第２端子５１−２の腕部が備えるばね性によって上方に向けて付勢され、カード用コネクタ１内に保持されたカード用トレイ１６０の枠部１６１の第２空間部１６５ｂに収容されたマイクロＳＤ（Ｒ）カードの下面に露出する端子部材としての電極パッドの各々に接触する。また、前記ソルダーテール部５１ｄ２は、前記基板に形成された信号線、コンタクトパッド、端子等に、はんだ付等によって電気的に接続される。
【００５０】
なお、前記第１端子５１−１、第２端子５１−２及び第３端子５１−３の数及び配置の形態は、カードの電極パッドの数及び配置の形態に適合するように、適宜変更される。また、第１端子５１−１、第２端子５１−２及び第３端子５１−３、第１端子保持凹部１１ｃ１、第２端子保持凹部１１ｃ２及び第３端子保持凹部１１ｃ３、接触部５１ｃ１、５１ｃ２及び５１ｃ３、並びに、ソルダーテール部５１ｄ１、５１ｄ２及び５１ｄ３を、それぞれ、統合的に説明する場合には、端子５１、端子保持凹部１１ｃ、接触部５１ｃ及びソルダーテール部５１ｄとして説明する。
【００５１】
前記底壁部１１ｂと左右の側壁部１１ｅとの間には、下側シェル１２が露出している。そして、各側壁部１１ｅの内側には、カード用トレイ１６０の枠部１６１を保持して固定するための保持用ばね部材２５が配設されている。該保持用ばね部材２５は、前後方向に延在する細長い板状のばね部材であって、その中央部付近にハウジング１１の幅方向内側に向かって突出する保持用凸部２５ａが形成されている。該保持用凸部２５ａは、枠部１６１の保持用凹部１６４ｂと係合し、これにより、カード用コネクタ１内に挿入されたカード用トレイ１６０の枠部１６１を保持して固定する。
【００５２】
また、ハウジング１１には、カード用コネクタ１に挿入されたカード用トレイ１６０の枠部１６１が、図４に示されるように、カード用コネクタ１内の所定位置（枠部１６１が保持用ばね部材２５によって保持されるとともに、枠部１６１にカードが収容されている場合にカードの電極パッドが対応する端子５１の接触部５１ｃと接触する位置）に到達したことを検出する検出スイッチの可動部材２７及び固定部材２８が配設されている。カード用トレイ１６０の枠部１６１が前記所定位置に到達していない場合には、可動部材２７と固定部材２８とが接触しているので、検出スイッチは導通状態、すなわち、オン（ＯＮ）になっている。しかし、枠部１６１が前記所定位置に到達すると、可動部材２７が枠部１６１の前枠部１６２ａに当接して押され、これにより、可動部材２７が変位して固定部材２８から離間する。したがって、検出スイッチが非導通状態、すなわち、オフ（ＯＦＦ）になるので、枠部１６１が前記所定位置に到達したことが検出される。
【００５３】
次に、前記構成のカード用コネクタ１からカード用トレイ１６０を引出す動作について説明する。
【００５４】
図７は本発明の実施の形態におけるカード用コネクタからカード用トレイを引出す動作の第１工程を示す斜視図であって図４に対応する斜視図、図８は本発明の実施の形態におけるカード用コネクタからカード用トレイを引出す動作の第１工程を示す断面図であって図５に対応する断面図、図９は本発明の実施の形態におけるカード用コネクタからカード用トレイを引出す動作の第２工程を示す斜視図であって図４に対応する斜視図、図１０は本発明の実施の形態におけるカード用コネクタからカード用トレイを引出す動作の第２工程を示す断面図であって図５に対応する断面図、図１１は本発明の実施の形態におけるカード用コネクタからカード用トレイを引出す動作の第３工程を示す斜視図であって図４に対応する斜視図、図１２は本発明の実施の形態におけるカード用コネクタからカード用トレイを引出す動作の第３工程を示す断面図であって図５に対応する断面図、図１３は本発明の実施の形態におけるカード用コネクタからカード用トレイを引出す動作の第４工程を示す斜視図であって図４に対応する斜視図である。なお、図８、１０及び１２において、（ａ）は図５（ａ）に対応する断面図、（ｂ）は図５（ｂ）に対応する断面図である。
【００５５】
ここで、カード用トレイ１６０は、図４〜６に示されるように、カード用コネクタ１への挿入が完了して枠部１６１がカード用コネクタ１内の所定位置にあるものとする。なお、図示の都合上、カード用トレイ１６０の空間部１６５にはカードが収容されていないものとする。
【００５６】
前記カード用トレイ１６０のカード用コネクタ１への挿入が完了した状態では、ハウジング１１が備える保持用ばね部材２５の保持用凸部２５ａが、枠部１６１の保持用凹部１６４ｂと係合している。これにより、枠部１６１は、前記所定位置に安定的に保持される。また、連結基部１６３のフランジ部１６３ｃの外周面に形成されたシール収容第１溝１６３ｄが、トレイ封止部９１が備えるシール第１凸部９３ａの位置に確実に到達することができ、前記シール収容第１溝１６３ｄに前記シール第１凸部９３ａが確実に進入して係合する。これにより、連結基部１６３とトレイ封止部９１との隙間が確実にシールされ、高い密封性を保つことができる。
【００５７】
そして、可動連結部１６６は、連結基部１６３に対して最も前進した位置にあり、図６（ｂ）に示されように、筒部１６６ａの前端（係止突起１６６ｄの前端）が、フランジ部１６３ｃの後端に近接乃至当接する。また、可動連結部１６６の後端板１６６ｂに取付けられたフランジ板１６９は、挿入開口枠部材９８の挿入開口９８ａに嵌入し、前記フランジ板１６９の後面１６９ｂは前記挿入開口枠部材９８の外面９８ｂとほぼ面一になっている。
【００５８】
さらに、可動連結部１６６の前方凸部１６８における受圧部１６８ａの上下両端は、トレイ封止部９１が備える押圧力付与部９４の前方傾斜面９４ａに当接し、該前方傾斜面９４ａに沿ってから前方への付勢力を受けている。前記受圧部１６８ａがこのように前方への付勢力を受けることにより、可動連結部１６６は、挿入開口枠部材９８及び該挿入開口枠部材９８に取付けられたトレイ封止部９１に対して、最も前進した位置に到達するように前進する。これにより、前記フランジ板１６９は、挿入開口枠部材９８の挿入開口９８ａに確実に嵌入し、前記フランジ板１６９の後面１６９ｂは確実に前記挿入開口枠部材９８の外面９８ｂとほぼ面一になる。
【００５９】
ところで、カード用コネクタ１は、図示されない位置固定部材を介して、電子機器の筐体の一部である挿入開口枠部材９８に相対的位置関係が変化しないように固定されているが、カード用コネクタ１を固定する作業における取付誤差、各部材の寸法誤差等の各種の誤差の存在により、カード用コネクタ１から挿入開口枠部材９８までの距離に不可避的な誤差が含まれる可能性がある。そのため、仮に可動連結部１６６が枠部１６１に対して固定されていると、該枠部１６１がカード用コネクタ１内の所定位置にあるときに、フランジ板１６９が挿入開口９８ａに嵌入しておらず、フランジ板１６９の後面が挿入開口枠部材９８の外面９８ｂから後方に突出してしまう可能性がある。
【００６０】
しかしながら、本実施の形態においては、可動連結部１６６が枠部１６１の連結基部１６３に対してスライド可能であり、かつ、押圧力付与部９４から前方への付勢力を受けているので、カード用コネクタ１から挿入開口枠部材９８までの距離に誤差が含まれていても、可動連結部１６６が挿入開口枠部材９８に対して最も前進した位置に到達し、フランジ板１６９は挿入開口９８ａに確実に嵌入し、フランジ板１６９の後面１６９ｂは確実に挿入開口枠部材９８の外面９８ｂとほぼ面一になる。
【００６１】
その結果、美観が保たれるだけでなく、前記フランジ板１６９及び可動連結部１６６と前記挿入開口枠部材９８及びトレイ封止部９１との隙間が小さくなるので、該隙間を通って、水、塵埃等の異物が、カード用コネクタ１内に進入する可能性が低減され、高い密封性を保つことができる。
【００６２】
また、可動連結部１６６のシール収容第２溝１６６ｃが、トレイ封止部９１が備えるシール第２凸部９３ｂの位置に確実に到達することができ、前記シール収容第２溝１６６ｃに前記シール第２凸部９３ｂが確実に進入して係合する。これにより、可動連結部１６６とトレイ封止部９１との隙間が確実にシールされ、高い密封性を保つことができる。
【００６３】
さらに、本実施の形態においては、カード用トレイ１６０の挿入方向の２箇所で、シール収容第１溝１６３ｄにシール第１凸部９３ａが進入して係合し、かつ、シール収容第２溝１６６ｃにシール第２凸部９３ｂが進入して係合するので、いわゆるラビリンス効果をも得ることができ、極めて高い密封性を保つことができる。
【００６４】
ここで、カード用コネクタ１からカード用トレイ１６０を引出す場合、ユーザは、手指等によって、操作補助部材１８１を把持し、該操作補助部材１８１の姿勢及び位置を、図１に示されるようなものとなるように、制御する。具体的には、操作補助部材１８１の先端が前方を向いてフランジ板１６９の貫通孔１６９ａの真後ろに位置し、かつ、先端に形成された鉤部１８１ｂの先端が横向きとなるような姿勢とする。
【００６５】
続いて、ユーザは、操作補助部材１８１を前進させ、その先端を貫通孔１６９ａ及び該貫通孔１６９ａに連通する可動連結部１６６の第１空洞１６７ａに挿入する。そして、先端に形成された鉤部１８１ｂが可動連結部１６６の第２空洞１６７ｂ内に到達すると、該第２空洞１６７ｂの上下方向の寸法が大きいので、前記鉤部１８１ｂの先端を縦向きとすることが可能となる。そこで、ユーザは、操作補助部材１８１の姿勢を、第１空洞１６７ａの軸に関して９０度回転させ、図８（ａ）に示されるように、鉤部１８１ｂを第２空洞１６７ｂの後端面に係止させる。
【００６６】
続いて、ユーザが操作補助部材１８１を後方に引くと、図９及び１０に示されるように、可動連結部１６６及びフランジ板１６９が後方に引出される。具体的には、鉤部１８１ｂを第２空洞１６７ｂの後端面に係止させた状態でユーザが操作補助部材１８１を後方に引くことにより、可動連結部１６６の前方凸部１６８における受圧部１６８ａの上下両端が当接していた押圧力付与部９４が弾性的に変形して押潰され、前記前方凸部１６８は、押圧力付与部９４を乗越えて、後方に移動する。また、可動連結部１６６のシール収容第２溝１６６ｃに進入して係合していたシール第２凸部９３ｂも、弾性的に変形して押潰されてシール収容第２溝１６６ｃから離脱するので、筒部１６６ａは後方に移動する。一方、連結基部１６３は、筒部１６６ａ内に挿入された状態で、可動連結部１６６とスライド可能に連結されているので、前記筒部１６６ａの係止突起１６６ｄの後端が被係止突起１６３ｅの前端と当接するまでは、後方に移動しない。したがって、枠部１６１も後方に移動しない。
【００６７】
そして、ユーザが操作補助部材１８１を後方に引続け、図１０（ｂ）に示されるように、筒部１６６ａの係止突起１６６ｄの後端が被係止突起１６３ｅの前端と当接すると、後方に引く力が連結基部１６３及び枠部１６１に伝達されるので、連結基部１６３及び枠部１６１も後方に移動することとなる。なお、係止突起１６６ｄが被係止突起１６３ｅに当接するのは、可動連結部１６６が、図７及び８に示されるようなトレイ封止部９１に対して最も前進した位置にある状態から、約１．０〔ｍｍ〕後方に移動したときである。つまり、図９及び１０に示される状態において、フランジ板１６９の後面は、挿入開口枠部材９８の後面から、約１．０〔ｍｍ〕後方に位置している。
【００６８】
続いて、ユーザが操作補助部材１８１を後方に更に引くと、後方に引く力が可動連結部１６６及び連結基部１６３を介して枠部１６１に伝達され、図１１及び１２に示されるように、該枠部１６１が所定位置から後方に引出される。この際、枠部１６１の保持用凹部１６４ｂと保持用ばね部材２５の保持用凸部２５ａとの係合が解除されるので、弾性的に変形させられる保持用ばね部材２５が発揮するばね力を主因とする抵抗を受けるが、該抵抗がユーザが発揮する引出し力よりも小さいので、枠部１６１は、前記抵抗に抗して後方に移動する。また、検出スイッチがオンになり、枠部１６１が所定位置から後退したことが検出される。さらに、連結基部１６３のシール収容第１溝１６３ｄに進入して係合していたシール第１凸部９３ａも、弾性的に変形して押潰されてシール収容第１溝１６３ｄから離脱するので、連結基部１６３も後方に移動する。
【００６９】
最終的に、ユーザは、図１３に示されるように、カード用トレイ１６０全体をカード用コネクタ１から引出し、更に、電子機器の筐体の一部である挿入開口枠部材９８の外側にまで引出すことができる。
【００７０】
次に、カード用コネクタ１にカード用トレイ１６０を挿入する動作について説明する。
【００７１】
まず、ユーザは、手指等によってカード用トレイ１６０を把持し、図１３に示されるように、該カード用トレイ１６０を挿入開口枠部材９８の挿入開口９８ａの後方に位置させた後、カード用トレイ１６０を前記挿入開口９８ａに相対的に接近させ、該挿入開口９８ａを通して、カード用コネクタ１の挿入口１８からハウジング１１とシェル６１との間に形成されるカード挿入空間内に挿入する。なお、図１３に示される例では、操作補助部材１８１の先端が貫通孔１６９ａに挿入されているが、カード用コネクタ１にカード用トレイ１６０を挿入する場合には、操作補助部材１８１を使用する必要はない。
【００７２】
ここで、カード用トレイ１６０の枠部１６１には、第１空間部１６５ａ及び第２空間部１６５ｂにそれぞれナノＳＩＭカードを収容することもできるし、第１空間部１６５ａにナノＳＩＭカードを収容して第２空間部１６５ｂにマイクロＳＤ（Ｒ）カードを収容することもできるし、第１空間部１６５ａ又は第２空間部１６５ｂのいずれか一方にのみナノＳＩＭカード又はマイクロＳＤ（Ｒ）カードを収容することもできる。いずれの場合でも、カードは、その電極パッドが配設された下面が空間部１６５の下面に露出するような姿勢で、空間部１６５内に収容される。そして、カード用トレイ１６０は、カードの下面が下を向き、前枠部１６２ａが前方を向くような姿勢で挿入される。ここでは、図示の都合上、カード用トレイ１６０の空間部１６５にはカードが収容されていないものとする。
【００７３】
続いて、ユーザがカード用トレイ１６０をプッシュして更に押込むと、図４〜６に示されるように、カード用トレイ１６０の枠部１６１がカード用コネクタ１の所定位置に到達し、カード用トレイ１６０のカード用コネクタ１への挿入が完了する。
【００７４】
このように、本実施の形態において、カード用トレイ１６０は、カード用コネクタ１に外部部材９０のトレイ封止部９１を通して挿入可能、かつ、電極パッドを備えるカードを保持可能である。そして、カード用トレイ１６０は、カードの側面と対向する枠部１６１と、枠部１６１に一体的に接続された連結基部１６３と、連結基部１６３にカード用トレイ１６０の挿入及び排出方向にスライド可能に取付けられた可動連結部１６６とを備え、連結基部１６３は、トレイ封止部９１が含むシール第１凸部９３ａと係合可能であって連結基部１６３の外周面に形成されたシール収容第１溝１６３ｄを含み、可動連結部１６６は、トレイ封止部９１が含む押圧力付与部９４と係合可能な受圧部１６８ａを含み、可動連結部１６６は、受圧部１６８ａが押圧力付与部９４と係合すると挿入方向へ付勢され、外部部材９０に対して位置決めされる。
【００７５】
これにより、カード用コネクタ１から外部部材９０までの距離に誤差が含まれていても、可動連結部１６６は外部部材９０に対して確実に位置決めされ、トレイ封止部９１と可動連結部１６６との隙間が小さくなるので、水、塵埃等の異物が、カード用コネクタ１内に進入する可能性が低減され、高い密封性を保つことができ、信頼性が向上する。
【００７６】
また、可動連結部１６６が外部部材９０に対して位置決めされると、可動連結部１６６に取付けられたフランジ板１６９の後面１６９ｂが外部部材９０の挿入開口枠部材９８の外面９８ｂと面一になる。したがって、カード用コネクタ１が実装されている電子機器の美観が向上する。また、ユーザの手指等がフランジ板１６９の後面１６９ｂと挿入開口枠部材９８の外面９８ｂとの段差に引掛ることがないので、安全性が向上する。
【００７７】
さらに、可動連結部１６６は、トレイ封止部９１が含むシール第２凸部９３ｂと係合可能であって可動連結部１６６の外周面に形成されたシール収容第２溝１６６ｃを含む。これにより、可動連結部１６６とトレイ封止部９１との隙間が確実にシールされ、高い密封性を保つことができる。
【００７８】
さらに、可動連結部１６６は、操作補助部材１８１が係止可能な内部空洞１６７を含み、操作補助部材１８１から排出方向への力を受けることにより、排出方向へスライドする。したがって、可動連結部１６６に取付けられたフランジ板１６９の後面１６９ｂが外部部材９０の挿入開口枠部材９８の外面９８ｂと面一になっていても、可動連結部１６６を容易に排出方向へスライドさせることができる。
【００７９】
さらに、可動連結部１６６は係止突起１６６ｄを含み、連結基部１６３は係止突起１６６ｄが係止可能な被係止突起１６３ｅを含み、連結基部１６３は、被係止突起１６３ｅに係止突起１６６ｄが係止すると、可動連結部１６６とともに排出方向へスライドする。したがって、可動連結部１６６を排出方向へスライドさせることにより、連結基部１６３及び枠部１６１を排出方向へスライドさせ、カード用トレイ１６０全体を排出させることができる。
【００８０】
さらに、可動連結部１６６は連結基部１６３が挿入される筒部１６６ａを含み、筒部１６６ａはトレイ封止部９１の挿入通路９２内に挿入され、挿入通路９２の内周面と連結基部１６３及び可動連結部１６６の外周面との間が封止される。したがって、挿入通路９２の内周面と連結基部１６３及び可動連結部１６６の外周面との間を通って、水、塵埃等の異物が、カード用コネクタ１内に進入することがなく、高い密封性を保つことができる。
【００８１】
なお、本発明は前記実施の形態に限定されるものではなく、本発明の趣旨に基づいて種々変形させることが可能であり、それらを本発明の範囲から排除するものではない。
【産業上の利用可能性】
【００８２】
本発明は、カード保持部材及びカード用コネクタセットに適用することができる。
【符号の説明】
【００８３】
１    カード用コネクタ
１１、８１１    ハウジング
１１ａ    奥壁部
１１ｂ    底壁部
１１ｃ１    第１端子保持凹部
１１ｃ２    第２端子保持凹部
１１ｃ３    第３端子保持凹部
１１ｅ、８９８    側壁部
１１ｆ    前端部
１１ｒ    後端部
１２    下側シェル
１３    掛止突起
１８    挿入口
２５    保持用ばね部材
２５ａ    保持用凸部
２７    可動部材
２８    固定部材
５１−１    第１端子
５１−２    第２端子
５１−３    第３端子
５１ｃ１、５１ｃ２、５１ｃ３    接触部
５１ｄ１、５１ｄ２、５１ｄ３    ソルダーテール部
６１    シェル
６２    天板部
６３    側板部
６３ａ    掛止開口
９０    外部部材
９１    トレイ封止部
９１ａ、９７ａ、１６６ａ    筒部
９１ｂ、１６３ｃ    フランジ部
９２    挿入通路
９３    シール凸部
９３ａ    シール第１凸部
９３ｂ    シール第２凸部
９４    押圧力付与部
９４ａ    前方傾斜面
９７    取付部材
９７ｂ    停止フランジ部
９７ｃ    固定フランジ部
９８    挿入開口枠部材
９８ａ    挿入開口
９８ｂ    外面
１５１    金属部
１５２ａ、１６２ａ    前枠部
１５２ｂ、１６２ｂ    中間枠部
１５２ｃ、１６２ｃ、９６１ａ    後枠部
１５４、１６４    側枠部
１５５、１６５    空間部
１５５ａ、１６５ａ    第１空間部
１５５ｂ、１６５ｂ    第２空間部
１６０    カード用トレイ
１６１    枠部
１６１ａ    樹脂部
１６３    連結基部
１６３ａ    連結片
１６３ｂ    凹入部
１６３ｄ    シール収容第１溝
１６３ｅ    被係止突起
１６４ａ    庇部
１６４ｂ    保持用凹部
１６６    可動連結部
１６６ｂ    後端
１６６ｃ    シール収容第２溝
１６６ｄ    係止突起
１６７    内部空洞
１６７ａ    第１空洞
１６７ｂ    第２空洞
１６８    前方凸部
１６８ａ    受圧部
１６９    フランジ板
１６９ａ    貫通孔
１６９ｂ    後面
１８１    操作補助部材
１８１ａ    本体部
１８１ｂ    鉤部
８５１    端子
８９８ａ    開口部
８９８ｂ    外表面
９６１    カードホルダ
９６１ｂ    後端面
９７１    パッキン
【図１】
0006456777.tif 000002
【図２】
0006456777.tif 000003
【図３】
0006456777.tif 000004
【図４】
0006456777.tif 000005
【図５】
0006456777.tif 000006
【図６】
0006456777.tif 000007
【図７】
0006456777.tif 000008
【図８】
0006456777.tif 000009
【図９】
0006456777.tif 000010
【図１０】
0006456777.tif 000011
【図１１】
0006456777.tif 000012
【図１２】
0006456777.tif 000013
【図１３】
0006456777.tif 000014
【図１４】
0006456777.tif 000015